(57)【要約】  照明システムが、複数の発光体、及び前記発光体により発せられる光をコリメートするための光コリメータを有する。前記光コリメータにおける光伝搬は、前記光コリメータの光出射窓に向かう内部全反射に基づく。光フィードバック用の少なくとも１つの光センサが、前記光コリメータ外に配置され、前記光コリメータの光出射窓における反射によってのみ前記発光体により発せられる光を受けるように構成される。好ましくは、前記光センサは、前記発光体と実質的に同一平面に配置される。好ましくは、前記光コリメータの側壁に、前記光コリメータの光出射窓において反射した光を前記光センサに向けて案内するための突出部が設けられる。好ましくは、当該照明システムに反射器が設けられる。好ましくは、当該照明システムは、ホログラフィックディフューザを有する。当該照明システムにより発せられる光の色混合の精度の高い検知が得られる。
2008515140.tif 000002
【特許請求の範囲】
【請求項１】
複数の発光体、及び
前記発光体により発せられる光をコリメートするための光コリメータを有する照明システムであって、
前記光コリメータにおける光伝搬は、内部全反射に基づき、
光フィードバック用の少なくとも１つの光センサが、前記光コリメータ外に配置され、
前記光センサは、当該照明システムの光出射窓における反射によってのみ前記発光体により発せられる光を受けるように構成されることを特徴とする照明システム。
【請求項２】
前記光センサは、前記発光体と実質的に同一平面に配置されることを特徴とする請求項１に記載の照明システム。
【請求項３】
前記光コリメータの側壁に、前記光コリメータの光出射窓において反射した光を前記光センサに向けて案内するための突出部が設けられていることを特徴とする請求項１又は２に記載の照明システム。
【請求項４】
前記光センサは、該光センサにより受けた光に応じて前記発光体の電流を制御するためのコントローラに接続されることを特徴とする請求項１又は２に記載の照明システム。
【請求項５】
前記コントローラは時間分解検出を用いることを特徴とする請求項４に記載の照明システム。
【請求項６】
前記コントローラにおける検出は、前記発光体のパルス幅駆動と同期がとられることを特徴とする請求項４に記載の照明システム。
【請求項７】
前記コントローラは、予め規定された周波数帯域で動作する前記発光体の駆動スキームと併用して周波数分解検出を用いることを特徴とする請求項４に記載の照明システム。
【請求項８】
当該照明システムは、該照明システムにより発せられる光のカラーポイントを決定するための色フィルタが設けられた少なくとも２つのセンサを有し、前記コントローラは、当該照明システムにより発せられる光の前記カラーポイントに影響を与えることを特徴とする請求項４に記載の照明システム。
【請求項９】
当該照明システムはさらに温度センサを有し、前記コントローラは、前記温度センサから受けた情報に応じて前記発光体の電流を制御することを特徴とする請求項４に記載の照明システム。
【請求項１０】
前記光コリメータは、１．３以上の屈折率を持つ誘電材料からなることを特徴とする請求項１又は２に記載の照明システム。
【請求項１１】
当該照明システムはホログラフィックディフューザを有し、前記ホログラフィックディフューザは前記光コリメータの光出射窓に設けられることを特徴とする請求項１又は２に記載の照明システム。
【請求項１２】
前記光コリメータに反射器が設けられることを特徴とする請求項１又は２に記載の照明システム。
【請求項１３】
前記反射器は、ファセットが形成されている、または実質的に複合パラボラ集光器に準じて成形されていることを特徴とする請求項１２に記載の照明システム。
【請求項１４】
前記発光体は、第１の原色の第１の発光ダイオード及び第２の原色の第２の発光ダイオードを少なくとも有し、これら第１及び第２の原色は互いに異なることを特徴とする請求項１又は２に記載の照明システム。
【請求項１５】
前記発光体は、第１の原色の第１の発光ダイオード、第２の原色の第２の発光ダイオード、及び第３の原色の第３の発光ダイオードを少なくとも有し、これら３つの原色は互いに異なることを特徴とする請求項１又は２に記載の照明システム。
【請求項１６】
前記発光ダイオードはそれぞれ、室温及び公称電力における駆動時少なくとも２５ｍＷの放射強度出力を持つことを特徴とする請求項１２に記載の照明システム。
【発明の詳細な説明】
【技術分野】
【０００１】
本発明は、複数の発光体、光コリメータ(light-collimator)、及び光センサを有する照明システムに関する。 
【背景技術】
【０００２】
このような照明システム自体は知られている。それらシステムは、とりわけ、例えばテレビジョン受信機及びモニタのための（画像）表示装置のバックライティングとして用いられる。このような照明システムは、（携帯型）コンピュータまたは（コードレス）電話において用いられる、LCDパネルとも称される液晶表示装置等の非放射性ディスプレイ(non-emissive display)のためのバックライトとして特に適切に用いられることができる。本発明による照明システムの他のアプリケーション領域は、像を投影するまたはテレビジョン番組、映画、ビデオプログラムもしくはDVD等を表示するためのデジタルプロジェクタ、すなわち、いわゆるビーマの照明光源としての使用である。さらに、このような照明システムは、スポットライト、アクセント照明、投光照明等の全般照明目的のために、並びに例えば看板(signage)、輪郭照明(contour lighting)及び広告掲示板(billboard)等に適用される大面積直視型発光パネルのために用いられる。他のアプリケーションでは、このような照明システムによって発せられる光が、光導波路、光ファイバまたは他のビーム成形光学部品に供給される。
【０００３】
一般に、このような照明システムは、多数の発光体、例えば、発光ダイオード（LED）を有する。LEDは、例えばよく知られた赤色（Ｒ）、緑色（Ｇ）または青色（Ｂ）発光体等の別個の原色の光源とすることができる。さらに、発光体は、例えば、原色としてアンバー、マジェンタまたはシアンを有することができる。これらの原色は、発光ダイオードチップによって直接生成されてもよく、または発光ダイオードチップからの光による放射を受けた蛍光体によって生成されてもよい。後者の場合、原色の１つとして混合色または白色光も可能である。一般に、発光体によって発せられる光は、光の一様な分布を得る一方、照明システムによって発せられる光の特定の発光体との相関を取り除くために透明部品において混合される。さらに、高い色精度及び／又は光束精度を得るためにセンサ及びなんらかのフィードバックアルゴリズムを有するコントローラを用いることが知られている。
【０００４】
国際特許出願公開第WO-A 02/01921号は、発光ダイオード(LED)、及び光を放つ複数の光ピクセルが配列されるLEDサポート素子を備える照明装置を述べている。前記光ピクセルはそれぞれ、該光ピクセルからの光の付加的な色混合に適した放射波長を持つ複数のLEDを有する。コントローラが、LEDサポート素子に設けられる。このコントローラにより、個々の光ピクセルの付加的に色混合された光の色温度及び輝度パラメータが設定され得る。コントローラは、LED電流を色温度及び輝度パラメータに割り当て、割り当てられたLED電流により光ピクセル内のLEDを制御する。制御装置が、少なくとも1つの光ピクセルの放射光の色温度及び輝度を測定し、測定された色温度及び輝度パラメータを該光ピクセルのプリセットされた色温度及び輝度パラメータと比較し、これら測定された色温度及び輝度パラメータ並びにプリセットされた色温度及び輝度パラメータが異なる場合、該光ピクセルからの放射光が該プリセットされた色温度及び輝度パラメータを持つように前記コントローラを調節する。
【発明の開示】
【発明が解決しようとする課題】
【０００５】
既知の照明システムの不利な点は、照明システムによって発せられる光の色混合の検知(sensing)がそれ程正確でないということである。
【課題を解決するための手段】
【０００６】
本発明は、上述した不利な点を完全にまたは部分的に取り除くことを目的とする。
【０００７】
本発明によれば、この目的が、
複数の発光体、及び
前記発光体により発せられる光をコリメートするための光コリメータを有する照明システムであって、
前記光コリメータにおける光伝搬は、内部全反射(total internal reflection: TIR)に基づき、
光フィードバック用の少なくとも１つの光センサが、前記光コリメータ外に配置され、
前記光センサは、当該照明システムの光出射窓における反射によってのみ前記発光体により発せられる光を受けるように構成される
照明システムにより達成される。
【０００８】
光センサを光コリメータ外に配置することにより、及び反射によってのみ発光体により発せられる光を測定することにより、複数の発光体からの光の色及び／又は光束の混合が高い精度で検知される。発光体により発せられる直接光が光センサに当たることが回避される。このようにして、特定の発光体により発せられた直接光が、光センサにおける色検知に優勢とならない。本発明によれば、照明システムにより発せられる光の色混合の精度の高い検知を備えた照明システムが得られる。
【０００９】
照明システムの光出射窓は、光コリメータの光出射窓、照明システムの光出射窓、または光コリメータ及び照明システムの光出射窓間に位置する如何なる可能なさらなる界面である。
【００１０】
さらに、光コリメータにおける光の伝搬の基礎を内部全反射(TIR)に置くことにより、光コリメータセクションにおける光の損失がかなり回避される。本発明による照明システムにより発せられる光の分布は実質的に一様である。照明システムの寸法に依存して、照明システムにより発せられる光は、空間的且つ角度的に実質的に混合されている。さらに、照明システムにより発せられる光は、実質的にコリメートされている（平行である）。好ましくは、光コリメータは、気体を含まない光学的に透明な誘電材料からなる。好ましくは、光コリメータは、１．３以上の屈折率を持つ誘電材料からなる。
【００１１】
好ましくは、前記光センサは、該光センサにより受けた光に応じて前記発光体の電流を制御するためのコントローラに接続される。光センサにおいて検出された信号が、照明システムの所望の光出力に対応する所望の信号からずれている場合、コントローラは、照明システムの光出力の要求に合致するように発光体の出力を調節する。
【００１２】
コントローラが動作する種々の態様がある。照明システムの好ましい実施例において、コントローラは時間分解検出を用いる。この構成は、コントローラを周囲光に依存しないようにする。好ましくは、前記コントローラにおける検出は、前記発光体のパルス幅駆動と同期がとられる。代替的には、前記コントローラは、予め規定された周波数帯域で動作する前記発光体の駆動スキームと併用して周波数分解検出を用いる。固有の周波数を種々の原色に割り当てることにより、色フィルタを適用する必要なく色分解された光束検出が可能になる。このようにして、時間分解検出または周波数分解検出の何れかを用いることにより、各（原）色の光束が、他の（原）色と無関係に測定される。
【００１３】
照明システムの代替的な実施例においては、少なくとも２つのセンサに、照明システムから発せられる光のカラーポイント(color point)が決定され、該光のカラーポイントを調整するために用いられ得るように色フィルタが与えられる。この実施例では、同一色の発光体により発せられた光束のこれらセンサに到達する部分が、少なくとも同一の色フィルタを備えるセンサが種々の発光体の本質的に同一の光部分を検知するように均質化される。このようにして、検出される信号は、同じ色の光を放つ発光体間の光束のばらつきと無関係に照明システムにより発せられる（色毎の）全体光束に（色毎に）対応する。このアプローチは、発光体のＤＣ動作の場合でさえカラーポイント検出を可能にする。一例として、三刺激曲線（CIE1931、標準観測者）に対応するスペクトル応答を持つ３つのセンサが、カラーポイントを決定するために用いられ得る。代替的には、他のスペクトル応答性を持つセンサが、較正マトリクスと併用して適用され得る。光のカラーポイント設定する自由度が１つしかない、すなわち、カラーポイントの可能な設定が色空間内の曲線上のポイントに制限される場合には、光のカラーポイントを決定するために、並びにカラーポイント及び全体光束に対して所要の光出力特性を実現する（設定し維持する）ように適宜のフィードバック信号を提供するために、適当に異なるスペクトル応答性を持つ２つのセンサで十分である。代替的には、別個のセンサが、発光体へのドライバからの電流を調整することになるフィードバック信号を提供することにより光束を設定し維持するために用いられる。
【００１４】
本発明による照明システムの他の好ましい実施例においては、照明システムから発せられる光の光特性が所望の設定に対応するように適当な電流を発光体に提供する制御システムが、少なくとも１つの温度センサを併用して少なくとも１つの光センサからの入力信号に基づく。このようにして、発光体の発光特性についての情報が、発光体の温度から得られる。これは、空間的に分解されていない光束の検知を適用可能にし、または三刺激曲線に対応するスペクトル応答以外のスペクトル応答を備える（色フィルタが設けられた）センサの適用を可能にする。例として、温度の関数としてのLEDから発せられる光のスペクトルシフトが、温度センサからの信号を用いることにより光学的に検出する必要なく光のピーク波長の実際の位置を得るために用いられ得る。温度センサは、発光体の活性層の実際の温度を直接検知せず、その代わりに、光を発生する層からある距離離れた温度しか検知できないため、この差のための補正が、制御システムに組み込まれてもよい。
【００１５】
さらに他の好ましい構造では、発光体の温度が、温度の関数である、予め規定された電流における電圧から得られる。このようにして、別個の温度センサが必要とされず、発光体の温度は、発光体の温度及び電気的特性間の関係を与える較正曲線から得られる。この情報は、フィードバック及び／又はフィードフォワード制御システムにより照明システムの出力を正確に設定し維持するため光センサからの信号と組み合わされる。
【００１６】
本発明による照明システムの好ましい実施例は、前記光センサが、前記発光体と実質的に同一平面に配置されることを特徴とする。この構成は、照明システムの設計を簡単にする。好ましくは、光センサは、発光体と同一のハウジング内に配置される。このようにして、光センサは、周囲光の受光にインセンシティブである。
【００１７】
光センサによる光の受光を促すため、照明システムの好ましい実施例は、前記光コリメータの側壁に、当該照明システムの光出射窓において反射した光を前記光センサに向けて案内するための突出部が設けられていることを特徴とする。この突出部は、発光体により発せられた反射光を光センサに向けて案内する。好ましくは、光コリメータの側壁の接続部における突出部の断面は、光コリメータにおける色混合の歪みを最小限にするように、且つ光センサに向けて十分な光を案内するように最適化される。
【００１８】
照明システムにより発せられる光のコリメーションは、発光体により発せられる光をコリメートするための付加的な手段を設けることによりさらに改善される。このため、本発明による照明システムの好ましい実施例は、前記光コリメータに反射器が設けられることを特徴とする。この反射器は、照明システムにより発せられる光ビームをさらにコリメートする。
【００１９】
反射器を実現する種々の方法がある。第１の実施例においては、反射器は、光コリメータから拡がる円錐形状を有する。他の実施例においては、反射器は、照明システムにより発せられる光ビームの均質化をさらに高めるためにファセットが形成される。さらなる実施例においては、反射器は、実質的に複合パラボラ集光器(compound parabolic concentrator: CPC)に準じて成形される。反射器のこれら実施例の組み合わせも可能である。
【００２０】
本発明による照明システムの好ましい実施例は、当該照明システムが、光成形ディフューザ、とりわけ、ホログラフィックディフューザを有することを特徴とする。好ましくは、ホログラフィックディフューザはランダム化ホログラフィックディフューザである。ホログラフィックディフューザの本質的な作用は、空間的及び角度的に一様な色分布及び光分布が得られることである。ホログラフィックディフューザの性質により、ホログラフィックディフューザ、すなわちビームシェイパ(beam shaper)の寸法は、細部がターゲットに投影されないような小ささであり、ゆえに、空間的及び／又は角度的に滑らかに変化する均質なビームパターンがもたらされる。ホログラフィックディフューザの二次的な作用は、照明システムより発せられる光ビームの形状に変化をもたらすことである。
【００２１】
本発明のこれらの及びその他の態様は、以下に述べる実施例を参照して明らかになり、また詳述されるであろう。
【発明を実施するための最良の形態】
【００２２】
図面は単に概略的なものであり、縮尺通りには描かれていない。特に、明白さを目的としてある寸法は大きく誇張されて示されている。図面における同様の構成部品は、可能な限り同じ参照数字で示されている。
【００２３】
図１は、本発明による照明システムの第１実施例の断面図を非常に概略的に示している。当該照明システムは、複数の発光体Ｒ、Ｇ、Ｂ、例えば、複数の発光ダイオード(LED)を有している。LEDは、図１の例におけるよく知られた赤色（Ｒ）、緑色（Ｇ）または青色（Ｂ）発光体等の別個の原色の発光体とすることができる。好ましくは、発光体は、第１の原色の第１の発光ダイオードＲ、第２の原色の第２の発光ダイオードＧ、及び第３の原色の第３の発光ダイオードＢを少なくとも有し、これら３つの原色は互いに異なる。代替的には、発光体は、原色として、例えば、アンバー、マゼンタまたはシアンを持つことができる。原色は、発光ダイオードチップにより直接生成されてもよく、または発光ダイオードチップからの光による放射を受けた蛍光体により生成されてもよい。後者の場合、原色の１つとして混合色または白色光も可能である。代替的に、照明システムには、２つの原色しか持たない複数の発光体、例えば、白色発光体及びアンバー発光体の組み合わせが設けられ得る。
【００２４】
図１の例において、発光ダイオードＲ、Ｇ、Ｂは、基板５上に載置されている。基板５は、これら発光ダイオードへの電気的接続を備えると共に、発光体からの熱を分散及び輸送するための熱導体として作用する。このような基板は、例えば、メタルコアプリント回路基板等の絶縁金属基板、電気リード線及びLEDを接続するための適当な電極パターンを備えるシリコン若しくはセラミック基板、またはカーボンファイバ強化金属基板等の複合材料からなる基板とすることができる。図１の例において、LED及び光センサは、同一基板上に載置されている。代替的には、LED及び光センサは、別個ではあるが本質的に同一平面の基板上に載置される。
【００２５】
一般に、LEDは、かなり高い放射源輝度を持つ。好ましくは、各LEDは、室温及び公称電力における駆動時少なくとも２５ｍＷの放射強度出力(radiant power output)を持つ。このような高出力を持つLEDは、LEDパワーパッケージとも呼ばれる。このような高効率で高出力のLEDの使用は、所望の比較的高い光出力において、LEDの数が比較的少なくてもよいという特有の利点がある。これは、製造されるべき照明システムの小型化及び効率にプラスの影響を与える。LEDパワーパッケージがこのような（メタルコア）プリント回路基板５上に載置される場合、LEDにより発生する熱が該プリント回路基板を介した熱伝導により容易に放散され得る。
【００２６】
照明システムの好ましい実施例においては、（メタルコア）プリント回路基板５が、熱伝導接続を介して照明システムのハウジング１５と接触する。ハウジング１５は、発光体Ｒ、Ｇ、Ｂのためのヒートシンクとして作用する。好ましくは、いわゆるむき出しのパワーLEDチップ(naked-power LED chip)が、絶縁金属基板、シリコン基板、セラミック基板または複合基板等の基板上に載置される。基板は、チップへの電気的接続を備えると共に、熱を熱交換器に伝達する良好な熱輸送セクションとして作用する。
【００２７】
図１に示される照明システムの実施例は、長手方向軸２５を中心に回転対称であり、発光体Ｒ、Ｇ、Ｂにより発せられる光をコリメートするための光コリメータ１を有する。光コリメータ１における光伝搬は、光コリメータ１の光出射窓４に向かう内部全反射(TIR)に基づく。好ましくは、光コリメータ１は、気体を含まない光学的に透明な誘電材料からなる。好ましくは、光コリメータ１は、１．３以上の屈折率を持つ誘電材料からなる。好ましくは、発光体Ｒ、Ｇ、Ｂのそれぞれが光コリメータ１と光学的に接触し、これにより、照明システムにおける光の損失が低減される。
【００２８】
図１に示される照明システムの実施例はさらに、光コリメータ１外に配置される光フィードバック用の光センサ８を有する。光センサ８は、光コリメータ１の光出射窓４における反射によってのみ発光体Ｒ、Ｇ、Ｂにより発せられる光を受けるように構成される。図１の矢印は、光コリメータ１の光出射窓４を介して一部透過され、該光出射窓４において一部反射される、発光体の１つにより発せられた光ビームを示している。光コリメータ及び空気間の界面における（フレネル）反射の一部は、この反射光がコリメータ１の(湾曲された)側壁に再び当たる場合内部全反射(TIR)外である。この反射光は、光コリメータ１の側壁において該光コリメータ１から離れ、光センサ８に到達する。
【００２９】
図１の例では、光センサ８は、ハウジング１５内に位置付けられ、プリント回路基板５上に載置されている。これは、照明システムの組み立てを簡単にする。さらに、光センサは、発光体Ｒ、Ｇ、Ｂと実質的に同一平面に配設される。光センサ８を光コリメータ１外に配置することにより、及び反射によってのみ発光体Ｒ、Ｇ、Ｂにより発せられる光を測定することにより、本発明による照明システムの光の色混合は高い精度で得られる。発光体Ｒ、Ｇ、Ｂにより発せられる直接光が光センサ８に当たることが回避される。このようにして、特定の発光体により発せられた直接光が、光センサ８における色検知に優勢とならない。本発明によれば、照明システムにより発せられる光の色混合の精度の高い検知を備えた照明システムが得られる。
【００３０】
光センサ８は、光センサ８により受けた光に応じて発光体（Ｒ、Ｇ、Ｂ）の電流を制御するためのコントローラ（図１に図示せず）に接続される。光センサ８、すなわち、フォトダイオードは、発光ダイオードにより放たれた光束の量を検出するためにTIRコリメータ１に隣接して配置される。好ましくは、LEDチップのパルス幅変調駆動と同期がとられる時間分解検出が用いられる。これは、様々な原色を持つ照明システムの場合に、各原色に対する光束を別個独立して測定することを可能にする点でとりわけ有用である。
【００３１】
好ましくは、光センサ８の読取りは、LEDチップのドライバと同期がとられる。これは、当該測定を周囲光に対してインセンシティブにする。光センサ８の信号は、継続的に読取られてもよく、または照明システムの出力が一定のレベル及びカラーポイントをもって長期にわたり安定すべきである場合には（かなり大きな）時間間隔を空けて読取られてもよい。これら測定のため、ドライバは、測定時間中自身のスキームを、照明システムの出力において可視せしめることなく変更するように構成されることもできる。
【００３２】
コントローラが発光体を流れる電流を検出し、影響を与えられるようにする様々な方法がある。一実施例において、コントローラは、予め規定された周波数帯域で動作する発光体Ｒ、Ｇ、Ｂの駆動スキームと併用して周波数分解検出を用いる。代替的な実施例において、照明システムは、該照明システムにより発せられる光のカラーポイントを決定するための色フィルタが設けられた少なくとも２つのセンサを有し、コントローラが、該照明システムにより発せられる光のカラーポイントに影響を与える。
【００３３】
好ましくは、照明システムにさらに、発光体付近に温度センサ（図１に図示せず）が設けられ、コントローラが、該温度センサから受けた情報に応じて発光体Ｒ、Ｇ、Ｂの電流を制御する。このようにして、照明システムから発せられる光の光特性が所望の設定に対応するように適当な電流を発光体に提供する制御システムが、少なくとも１つの温度センサを併用して少なくとも１つの光センサからの入力信号に基づく。代替的には、発光体の温度が、温度の関数である、予め規定された電流における電圧から得られる。このようにして、別個の温度センサが必要とされず、発光体の温度は、発光体の温度及び電気的特性間の関係を与える較正曲線から得られる。好ましくは、この情報は、フィードバック及び／又はフィードフォワード制御システムにより照明システムの出力を正確に設定し維持するため光センサからの信号と組み合わされる。
【００３４】
図１に示される照明システムの実施例はさらに、反射器１２を有する。この反射器は、照明システムにより発せられる光ビームをさらにコリメートする（図１の矢印参照）。図１の実施例において、反射器１２は、照明システムにより発せられる光ビームをさらに成形し、さらに均質化するためにファセットが形成されている。代替的な実施例では、反射器は、実質的に複合パラボラ集光器(CPC)に準じて成形される。代替的な実施例においては、光コリメータの形状が、複合パラボラ集光器の形状と厳密ではないが同様である。
【００３５】
照明システムは、TIRコリメータが、少なくとも一部ファセットが形成され、略々回転対称であるようなスポットモジュール若しくは投光モジュールであってもよく、またはTIRコリメータが線形構造であるような線光源であってもよい。線光源の一例が図２に示されている。図２は、図１に示される照明システムの実施例の斜視図を概略的に示している。図２における照明システムは、複数の発光体Ｒ、Ｇ、Ｂ、コリメータ１、光センサ８及び反射器１２を有する。図２においては３つの発光体しか示されていないが、複数の原色の発光体があってもよい。さらに、複数の光センサ８が照明システムに設けられてもよい。とりわけ、発光体の１つ以上の線形アレイ及び光センサの１つ以上の線形アレイがあってもよい。
【００３６】
図３は、本発明による照明システムの代替的な実施例の断面図を概略的に示している。この実施例では、光コリメータ１の側壁３５に、光コリメータ１の光出射窓４において反射した光を光センサ８に向けて案内するための突出部９が設けられている。この突出部９は、コリメータ１の側壁３５から光センサ８への(狭い)(円形の)光案内ロッドとして作用する。突出部９は効果的に反射光を光センサ８に案内する。光コリメータの側壁の接続部における突出部９の断面は、好ましくは、光コリメータ１における色混合の歪みを最小限にするように、且つ光センサ８に向けて十分に光を案内するように最適化される。
【００３７】
前面レンズまたは透明／半透明前面版が例えば反射器１２の出射窓２３の位置に用いられる場合、斯かる前面板において反射された光も、光センサ８における光束検出に用いられ得る。その場合、反射防止コーティングが、光束測定に悪影響を与えることなく光学的損失を減らすためにコリメータに設けられてもよい。本発明によれば、光は、光コリメータ及び照明システムの光出射窓間に位置する如何なる可能な界面において反射され得る。適切な反射面は、例えば、光コリメータ１の光出射窓４又は反射器１２の光出射窓２３である。
【００３８】
照明システムの好ましい実施例は、テクスチャード屈折光スプレッダ(textured refractive light spreader)、例えば、マイクロレンズアレイを有し、該テクスチャード光スプレッダは、反射器１２の光出射窓２３に設けられる。
【００３９】
図３の例において、反射器１２は、照明システムの付加的なヒートシンク作用を有する。さらに、図３の反射器１２には、（鏡面）反射コーティング２２が設けられている。
【００４０】
図３の例において、照明システムはさらに、ホログラフィックディフューザ１７を有する。好ましくは、ホログラフィックディフューザはランダム化ホログラフィックディフューザである。ホログラフィックディフューザの本質的な作用は、空間的及び角度的に一様な色分布及び光分布が得られることである。代替的な実施例において、ホログラフィックディフューザ１７は、反射器１２の出射窓２３に設けられる。
【００４１】
上述した実施例は本発明を制限するというよりは解説するものであり、当業者であれば添付請求項の範囲から逸脱することなく多くの他の実施例を設計できるであろうことに留意されたい。各請求項において、括弧内に置かれた如何なる参照符号も当該請求項を限定するものとみなしてはならない。"有する"なる用語は、請求項に記載されたもの以外の要素及びステップの存在を排除するものではない。本発明は、幾つかの個別素子を有するハードウェアにより、及び適切にプログラムされたコンピュータにより実現することができる。幾つかの手段を列挙する装置請求項において、これらの手段の幾つかはハードウェアの同一アイテムにより具現化することができる。或る手段が相互に異なる従属請求項に記載されるという事実のみでは、これらの手段の組合せが有利に使用できないということを示すことにはならない。
【図面の簡単な説明】
【００４２】
【図１】図1は、本発明による照明システムの第１実施例の断面図である。
【図２】図２は、図1に示される照明システムの実施例の斜視図である。
【図３】図３は、本発明による照明システムの代替的な実施例の断面図である。
【図１】
2008515140.tif 000003
【図２】
2008515140.tif 000004
【図３】
2008515140.tif 000005
【国際調査報告】
2008515140.tif 000006
2008515140.tif 000007
2008515140.tif 000008
2008515140.tif 000009
2008515140.tif 000010